(57)【要約】      （修正有）【課題】全体を、緩衝材で作製し、利用者が用具で怪我等をする事なく、また恐怖心も払拭出来、安全で意欲的に取り組んで技術向上できるミニハードルを提供する。【解決手段】ミニハードル本体は、支柱と横棒で成り立ち、両方を、同じ軟性素材（緩衝材）で作製する。支柱は、横棒より太い素材で作製し、動かないよう底の部分に適量の重りを挿入し固定する。横棒も緩衝材であり平行を維持する為、内部に細いプラスチック棒を挿入し、曲がらないよう固定する。支柱上部の穴に横棒の左右を挿入して使用する。全体が緩衝材の用具になり、初心者でも恐怖心を払拭し、安全で怪我等の無い練習を意欲的に取り組むことができ、走力等の技術向上を可能にする。【選択図】図２
0003218136.tif 000002
【実用新案登録請求の範囲】
【請求項１】
陸上競技等の、走力等の技術向上の為に利用する用具、ミニハードル全体を、緩衝材（軟性素材）で作製し安全重視を特徴とするセーフティ−ミニハードル。
【考案の詳細な説明】
【０００１】  本考案は、用具の全体を、緩衝材（軟性素材）で作製したミニハードルに関するものである。（以下、緩衝材と表現する。）
【背景技術】
【０００２】  スポーツメーカー等で市販され、一般的に利用されているミニハードルは、アルミやスチール等の硬性素材で製作された用具であり、特に初心者や走力技術の劣っている者が使用すると怪我をするという恐怖心が起こり、積極的な練習の取り組みは出来ず、走力技術の向上はままならない。利用させる指導者にとっても躊躇する用具である。【０００３】
【特許文献１】実開平０５−０８１６００号  広報
【非特許文献１】「株式会社エバニュ−カタログ２０１６、Ｐ．５３」
【考案の概要】
【考案が解決しようとする課題】
【０００４】  硬性素材のミニハードルは、技術的に優れた者にとっては容易に利用出来るが、初心者や技術的に劣っている者にとっては、過って接触すると怪我の可能性も感じ、恐怖心も生まれ、積極的な取り組みは容易ではない。指導者にとっても用具の利用価値は大いに認めてもこのような用具を使用させるには躊躇し、なかなか積極的な取り組みには出来ないし、また購入するにしても高価であり経済的負担も大きい。従って、ミニハードル全体を、緩衝材で作製する事により、恐怖心を取り除く事が可能になり、安全で意欲的・積極的な取り組みが出来、走力等の技術を向上させる事が可能になって、前述の欠点を解決しようとするものである。
【課題を解決するための手段】
【０００５】  本考案は、硬性素材の用具に比べると、全体的に大きくはなるが、後述の図の左右の支柱（土台）と、上段横棒（バー）を発泡ポリエチレン等の緩衝材で作製することにより、用具全体が緩衝材用具（ソフト）となり、利用者が取り組む場合、たとえ過った利用で衝撃を与えても分離するだけで破壊されることもない。またたとえ分離してもすぐに復元・組み立てることができて、上記の問題点を解決している。
【考案の効果】
【０００６】  上述の通り、本考案のミニハードルは、用具全体が軟性素材でなっており、幼稚園児や小学生等の技術的に劣る利用者がたとえ過った利用をして接触しても怪我をすることは全く考えられない。また接触して強い衝撃を与えても土台と横棒が分離するだけで、恐怖心を感じず、意欲的・積極的に取り組むことが可能になり、それまで、硬性素材で作製されて居るミニハードルに対して、消極的な子供たちも、今ではこのような変化を見せており、その利用の結果、技術・走力等の向上につながり、大会等での成績向上が顕著になっている。
【図面の簡単な説明】
【０００７】
【図１】
0003218136.tif 000003
【符号の説明】（Ａ）  横棒      （Ｂ）  支柱      （Ｃ）  適量の重り
【考案を実施するための形態】
【０００８】
【図２】
本考案のミニハードルの点線部分は内部を透視した図で、支柱は安定性を保つために下部に適量の鉄製の重りを挿入する。また、緩衝材の横棒は曲がらず安定性を保つために内部にプラスチック等の適性素材の細い管を挿入し、両横からは出ないよう接着剤により固定する。左右の支柱と横棒は着脱が可能である。
0003218136.tif 000004
【実施例】
【０００９】
【図３】
上記の本考案のミニハードルを、走る方向に向かって並べて利用する時の俯瞰図である。（台数は適当に）
0003218136.tif 000005
【符号の説明】▲１▼〜▲９▼は台の順
※  一般的なハードルの高さの例
（ア）  小学生まで  約１７センチ
（イ）  中学生  約２２センチ
（ウ）  高度の技術者  約２７センチ
※  ハードル全体の色（その列は同色で統一する。）
◇  色の種類（赤色・青色・黄色・紫色の鮮明認識可能な色にする。）
0003218136.tif 000006
【手続補正書】
【提出日】平成30年5月16日(2018.5.16)
【手続補正１】
【補正対象書類名】実用新案登録請求の範囲
【補正対象項目名】全文
【補正方法】変更
【補正の内容】
【実用新案登録請求の範囲】
【請求項１】
陸上競技の走力技術の向上を目的とし、加えて安全に利用出来るように、左右の支柱と上段の横棒からなる用具全体を緩衝材で作製したセーフティ−ミニハードル。
【手続補正２】
【補正対象書類名】明細書
【補正対象項目名】全文
【補正方法】変更
【補正の内容】
【考案の詳細な説明】
【技術分野】
【０００１】本考案は、用具の全体を緩衝材で作製したセーフティ−ミニハードルに関するものである。
【背景技術】
【０００２】スポーツメーカー等で市販され、一般的に利用されているミニハードルは、アルミやスチール等の硬性素材で製作された用具である。特に初心者や走力技術の劣っている者が使用すると怪我をする恐れがあり、積極的な練習の取り組みは出来ず、走力技術の向上はままならない。また利用させる指導者にとっても躊躇する用具である。【０００３】
【特許文献１】実開平０５−０８１６００号  広報
【非特許文献１】「株式会社エバニュ−カタログ２０１６、Ｐ．５３」
【考案の概要】
【考案が解決しようとする課題】
【０００４】硬性素材のミニハードルは、技術的に優れた者にとっては容易に利用出来るが、初心者や技術的に劣っている者にとっては、過って接触すると怪我の可能性も生じ、恐怖心も生まれ、積極的な取り組みは容易ではない。指導者にとっても用具の利用価値は大いに認めてもこのような用具を使用させるには躊躇し、なかなか積極的な取り組みはさせられない。従って、ミニハードル全体を、緩衝材で作製する事により、恐怖心を取り除く事が可能になり、安全で意欲的・積極的な取り組みが出来、走力等の技術を向上させる事が可能になって、前述の欠点を解決しようとするものである。
【課題を解決するための手段】
【０００５】本考案は、硬性素材の用具に比べると、全体的に大きくはなるが、後述の図の左右の支柱と、上段横棒を発泡ポリエチレン等の緩衝材で作製することにより、用具全体が緩衝材用具となり、利用者が取り組む場合、怪我をする危険性も無く、またたとえ過った利用で衝撃を与えても分離するだけで破壊されることもない。たとえ分離してもすぐに復元・組み立てることができて、前述の問題点を解決している。
【考案の効果】
【０００６】上述の通り、本考案のミニハードルは、用具全体が軟性素材でなっており、小学生等の初心者等の技術的に劣る者がたとえ過った利用をして接触しても怪我をすることは全く考えられない。また接触して強い衝撃を与えても土台と横棒が分離するだけで、恐怖心を感じず、意欲的・積極的に取り組むことが可能になり、それまで、硬性素材で作製されて居るミニハードルに対して、消極的な子供たちも、今ではこのような変化を見せており、その利用の結果、技術・走力等の向上につながり、大会では成績向上が顕著になっている。
【図面の簡単な説明】
【０００７】
【図１】  本考案のミニハードルの実施例を示す正面からの全体図である。
【図２】  本考案のミニハードルを更に拡大し、内部の構造まで描いた全体図である。
【図３】  本考案のミニハードルを、走る方向に向かって並べて利用する時の俯瞰図である。
【考案を実施するための形態】
【０００８】〔図２〕  本考案のミニハードルの点線部分は内部を透視した図で、支柱は安定性を保つために下部に適量の鉄製の重りを挿入する。また、緩衝材の横棒は曲がらないようにするため内部にプラスチック等の適性素材の細い管等を挿入し、両横からは出ないよう接着剤により固定しておく。また運搬時を考慮して左右の支柱と横棒は着脱が可能にしておく。
【実施例】
【０００９】〔図３〕  ミニハードルを走る方向に向かって並べた俯瞰図。（台数は適当に）
0003218136.tif 000007
※  ハードル間の間隔や、ハードルの高さは競技者の技術の程度によって異なる。一般的な例として、小学生は１２０センチ、ハードルの高さは１７センチ。またハードルの色は、赤色、青色、黄色、紫色等の鮮明な色が適当。
【符号の説明】〔００１０〕
１図  Ａは横棒    Ｂは支柱    Ｃは適量の重り
２図  Ａは横棒    Ｂは支柱    Ｃは適量の重り
３図  ▲１▼から▲９▼はミニハードルの台の順。
【手続補正３】
【補正対象書類名】図面
【補正対象項目名】全図
【補正方法】追加
【補正の内容】
【図１】
0003218136.tif 000008
【図２】
0003218136.tif 000009
【手続補正書】
【提出日】平成30年8月3日(2018.8.3)
【手続補正１】
【補正対象書類名】明細書
【補正対象項目名】全文
【補正方法】変更
【補正の内容】
【考案の詳細な説明】
【技術分野】
【０００１】  本考案は、用具の全体を緩衝材で作製したセーフティ−ミニハードルに関するものである。
【背景技術】
【０００２】  スポーツメーカー等で市販され、一般的に利用されているミニハードルは、アルミやスチール等の硬性素材で製作された用具である。特に初心者や走力技術の劣っている者が使用すると怪我をする恐れがあり、積極的な練習の取り組みは出来ず、走力技術の向上はままならない。また利用させる指導者にとっても躊躇する用具である。【０００３】
【特許文献１】実開平０５−０８１６００号  広報
【非特許文献１】「株式会社エバニュ−カタログ２０１６、Ｐ．５３」
【考案の概要】
【考案が解決しようとする課題】
【０００４】  硬性素材のミニハードルは、技術的に優れた者にとっては容易に利用出来るが、初心者や技術的に劣っている者にとっては、過って接触すると怪我の可能性も生じ、恐怖心も生まれ、積極的な取り組みは容易ではない。指導者にとっても用具の利用価値は大いに認めてもこのような用具を使用させるには躊躇し、なかなか積極的な取り組みはさせられない。従って、ミニハードル全体を、緩衝材で作製する事により、恐怖心を取り除く事が可能になり、安全で意欲的・積極的な取り組みが出来、走力等の技術を向上させる事が可能になって、前述の欠点を解決しようとするものである。
【課題を解決するための手段】
【０００５】  本考案は、硬性素材の用具に比べると、全体的に大きくはなるが、後述の図の左右の支柱と、上段横棒を発泡ポリエチレン等の緩衝材で作製することにより、用具全体が緩衝材用具となり、利用者が取り組む場合、怪我をする危険性も無く、またたとえ過った利用で衝撃を与えても分離するだけで破壊されることもない。たとえ分離してもすぐに復元・組み立てることができて、前述の問題点を解決している。
【考案の効果】
【０００６】  上述の通り、本考案のミニハードルは、用具全体が軟性素材でなっており、小学生等の初心者等の技術的に劣る者がたとえ過った利用をして接触しても怪我をすることは全く考えられない。また接触して強い衝撃を与えても土台と横棒が分離するだけで、恐怖心を感じず、意欲的・積極的に取り組むことが可能になり、それまで、硬性素材で作製されて居るミニハードルに対して、消極的な子供たちも、今ではこのような変化を見せており、その利用の結果、技術・走力等の向上につながり、大会では成績向上が顕著になっている。
【図面の簡単な説明】
【０００７】
【図１】  本考案のミニハードルの実施例を示す正面からの全体図である。
【図２】  本考案のミニハードルを更に拡大し、内部の構造まで描いた全体図である。
【考案を実施するための形態】
【０００８】  図２は本考案のミニハードルの点線部分は内部を透視した図で、支柱は安定性を保つために下部に適量の鉄製の重りを挿入する。また、緩衝材の横棒は曲がらないようにするため内部にプラスチック等の適性素材の細い管等を挿入し、両横からは出ないよう接着剤により固定しておく。また運搬時を考慮して左右の支柱と横棒は着脱が可能にしておく。
【符号の説明】
【０００９】  １図  Ａは横棒    Ｂは支柱    Ｃは適量の重り
２図  Ａは横棒    Ｂは支柱    Ｃは適量の重り